(57)【要約】      （修正有）【課題】ひとつのブロックの一端および近傍の面から複数の別のブロックを自在に接合できるようにして、ブロックの積層や展開を飛躍的に拡大する磁石ブロックを提供する。【解決手段】１つのブロックに設けられる１組の金属は複数の接合面を互いに磁力の干渉の無いよう稜線部に切り欠き（スリット）を設けてかご形状に一体的に形成される。これにより複数の面にそれぞれ一対の複数の磁石を安定的にかつ確実に吸着接合でき、従ってそれを保有する複数のブロックと同時に立体的な連結ができるようになる。【選択図】図１
0003143760.tif 000002
【実用新案登録請求の範囲】
【請求項１】
樹脂等で形成されるブロック玩具において、その形状が略直方体もしくは略立方体あるいは略多面柱状体の軸心方向の１つの端面およびその近接する複数の側面に着磁可能な金属面を配設できるような略かご型形状に金属板を一体的に形成しその各稜をなす部位には切り欠きを設けブロック本体に包含もしくは嵌着される金属体を有する構成とすること。
【請求項２】
上記項目の金属体をその一端部に包設し、その反対側の端部には磁石を包設するよう形成した樹脂等よりなるブロック構造を有すること。
【考案の詳細な説明】
【技術分野】
【０００１】本考案は、玩具である組み立て式ブロックや積み木（以下ブロック）等においてその接合に磁石を利用する方式に関するものである。
【背景技術】
【０００２】従来、ブロックは組立の単位となる直方体、立方体あるいは円柱や多面角柱等形状を有するものを複数個用いてこれらを適宜接合し、多様な形状の構造体を形成させる玩具としてひろく普及している。それぞれの接合には通常その材料として用いられる樹脂や木材から成るブロック表面に適宜凹凸部を設けこれらが互いに嵌め合うことを利用して接合したり、「マジックテープ」と通称される互いに添着できるカギ状突起とこれの受け穴をその表面に配設される布を設けたりして実現している。近年は磁石を用いてブロック相互の接合をさせるものも実用化されている。
【考案の開示】
【０００３】本考案はこれらブロックの接合に磁石とこれに吸着される鉄等の磁性金属（以下金属）を用いるものにおいて、これら要素の形体および配設を特殊化して飛躍的に接合の自由度、自在度をたかめ、ブロック構造体形成の多様性、容易性を向上させる。これは金属部が一体的に形成されながら、磁石に接して誘導される磁性が形成される複数面で誘導磁石の相互干渉を最小に抑制できる特性を有する構造を持つためで、ブロックの端部に適宜設けることにより、その各面部にはそれぞれ同時に複数のブロックの磁石が吸着接合可能となる。
【考案が解決しようとする課題】
【０００４】従来の磁石ブロックにおいてはブロック単体の軸心長手方向にある端部に単数あるいは両端部で２個の磁石を設け、複数のブロック相互間で吸着させることを接合の基本としている。ただこの方式では磁石相互が異極の時のみ可能で同極の時は反発して接合できないため、以下のような主に２つの方式が解決策として考案されている。ひとつの方式は、磁石を保持する２個のブロックの間に金属を保持する第３のブロックを中間に介在させるものである。この方式はブロックの連結は可能であるが磁石を有するブロックと金属を有するブロックが別個に必要で製造、組み合わせが複雑になる。この解決のため１個のブロックの一端に磁石を、またその反対側の他端に金属を保持させたものを標準体として複数用い、２個のブロックの磁石間が同極で反発する場合は一方のブロックの反対側端部の金属と接合させている。これによれば両者が接合できる限りブロックの組み立ては連続的に可能となる。ただ、その接合される面は磁石および金属のブロック内での位置により制約され、一般的にはひとつのブロックの一端にはひとつの他のブロックのみしか接合できないため組み立て形状は線状になる。２面以上の金属面を設けてもそれらが磁性的に１つの磁石になるためひとつの面に吸着する主たる磁石以外には別の面で他の磁石とは安定的で確実な吸着が困難なためである。もうひとつの方式は磁石をブロック内部で回転させるものである。ブロック内部の端面近傍に球形の磁石を回転可能なように内包させ、常に他のブロックの磁石どうしは吸着するように回動して接合可能とさせる。この方式においてもひとつのブロックには、別のひとつのブロックのみが接合可能なため、構造体は主に線状になる制約がある。また、実用的に球状の磁石は回転させる構造に精度を必要とし、信頼性も劣りやすい。さらに球状の磁石は平面を持つ磁石に比して吸着面が少なくなるため接合力が低下しやすいこともあり普及度は低い。
【０００５】本考案は上記のいずれの方式にもある磁石および金属等の磁力特性から発生するブロック集合構造体組み立て上の制約、すなわちひとつのブロックにはひとつの別のブロックしか接合できないことにより線状形態になる課題を解消し、ひとつのブロックの一端および近傍の面から複数の別のブロックを自在に接合できるようにして、いわば従来の２次元空間内での接合方式から３次元空間での接合方式に展開することによりブロックの積層や展開を飛躍的に拡大しようとするものである。
【課題を解決するための手段】
【０００６】本考案のブロックは基本的には接合を内部に設けられる磁石の吸着力に依存するものであるが、その吸着相手は別のブロックに設けられる金属もしくは異なる磁極の磁石の一方となるように形成される。ここに各ブロックは本体部分を主に樹脂や木質材料とし、その形状は略直方体もしくは立方体として略標準化し、かつ通常各個の大きさは一辺が１センチメートルから数センチメートルの小児等が扱いやすい大きさとしてそれらが交互に連結、接合されたとき何らかの構造体を形成するようにあらかじめ設定される。本考案ではこの各ブロックにはそのひとつの長手方向に直角な端面ならびにその端面に隣接する４平面に磁石と吸着する接合用金属面をそれぞれまとめて１組以上設け、かつそれらは鉄板等磁石に吸着される材料から一体的に形成され、同時に互いに磁石により生成される誘導磁性が独立して互いに干渉しにくいように各面ごとを仕切る稜線部に切り欠き（スリット）を適宜設けることにより前項の課題を解決しようとする。この金属はブロック本体と一体的に形成され、金属部は本体表面に露出するかあるいは磁力が充分に伝わる場合は内包され５つの面のいずれの面に磁石が接してもこれと個別に吸着可能となるようにする。
【考案の効果】
【０００７】本考案によれば前項に述べたごとくブロックはその長手方向の端部の面およびこれに隣接する面、特に直方体では４つの側面もふくめその部位に設けられた１組の金属の効果で５つの面が磁石と吸着可能となる。立法体のブロックにおいては残る１面も同様に１組の金属に加えることにより全６面で同様吸着可能となる。この結果磁石を設けられたブロックの端部はその端面で前記ブロック金属のある端部の希望の部位と吸着が確保され（ブロック間の形状がぶつからなければ）複数の磁石部分と１組の金属部分でも可能となる。これは金属の各端面が前項に述べた構造のため磁気的にそれぞれが干渉されず磁石の誘導磁性を生成できるためである。従来、一体の金属で複数の端面を構成されたものでは１つの端面が磁石と接合時、別の端面はその生成磁性の影響を受けて所望の接合が容易でないことが多かった。本考案のブロックを用いれば１組の金属が有する複数の端面方向に複数個の別のブロックが接合展開でき、自在に安定した３次元の立体的な構造体の組み立てが可能となる。
【０００８】前項の金属部は１組で５面あるいは６面（立方体全面時）の複数の面部をそれぞればらばらでなく一体的に板金から曲げ加工もしくはプレス加工で簡易に得られ、かつ樹脂等本体材料に組み込む際の手間も簡略化でき形成時の精度向上とコスト低減も図れる。
【０００９】なお、ひとつのブロックの長手方向の前記金属の反対側端部に磁石を設けて標準化すれば複数の同形状のブロック間で磁石と金属を有する両端部の接合が可能となるが、場合によりこの金属を前記磁石の代わりにもう１個加え計２個設けて吸着専用のブロックとすればひとつのブロックからさらに多数の端面接合が可能となる。
【実施例】
【００１０】以下、本考案を図１から図３の応用実施例について説明する。図１は本考案による応用の代表例として金属と磁石を保有するブロックの斜視図である。図２はこのブロックを複数用いた組み立て時の構成の一例を示す図である。図３は本考案の金属の構造を示す斜視図である。本考案によるブロックの構造は主にブロック本体（１）、それと一体的に設けられる磁石（２）、同様一体的に設けられる金属（３）から構成される。図１は前記の構成要素の相対的な関連を示すが、ブロック（１）は通常同図のような直方体とし、その断面形状はほぼ正方形２点鎖線で示す長手軸方向はその約２倍の長さが組み立てに便利である。その寸法は第６項に述べた程度である。磁石（２）および金属（３）はそれぞれ同図のようにブロック本体（１）の長手軸方向にそれぞれの軸心（磁石は磁極方向も軸心と同方向を原則する）が整合するように配設される。この際前記のそれぞれの部品はブロック本体（１）の内部に埋設されても、同図のように磁石（２）の１表面、あるいは金属（３）の複数の各表面がブロック本体（１）に露出し一体的に形成されても（４）どちらでもよく場合により選択できる。なお、本考案ではブロック本体（１）の材料はＡＢＳ、ＡＳあるいはＰＰ等の樹脂が成形上便利であるのでこれを想定して述べるが、木や紙等の木質系あるいは粘土等の材料でも考案の効果作用は同様に得られる。磁石（２）は直方体もしくは立方体あるいは円筒状とするがこれらは吸着面を大きく取れ形成上も扱いやすく便利である。金属（３）は既述のように磁石に感応して誘導磁性を生成しこれとよく吸着する鉄板等の金属を材料として本図のように設ける。この詳細は図３に示すように２点鎖線を長手軸方向の軸心とする略直方体でその１面のみが欠けるかご型に近い形状で、薄い鉄板を折り曲げ成形あるいはプレス成形等で加工され得る。ここにその形状における稜線部、すなわちひとつの面と接するほかの面のなす直線の曲がり角の部分には切り欠き（４）（スリットでも可）を設ける。この形状はその幅は最小でかつ長さは最大に取れるように適宜選定されるが、それぞれの面の間はばらばらにならないように接続部を設ける。ただし、場合により同図のようにかご型の開放側は接続部を設けなくてもよい。また、それぞれの面を接合するつなぎ部分は一体のかご型形態を維持し、かつ磁性の透過を最小にできるよう適宜設定される。この結果磁石が各面で生成する磁力は分断され独立なものとなるので、既述のような多面接続の効果が生起される。以上の効果を組み立て例として図３に示す。構成の主体であるブロックＡ（１１）の長手軸方向は上向きでその上部には金属（３）（図示せず）が設けられている。このためその左側面には別のブロックＢ（１２）の磁石部（図示せず）が吸着され、同様右側面にはブロックＣ（１３）が、背面にはブロックＤ（１４）等が吸着され得る。なお、ブロックＥ（１５）はブロックＡ（１１）の前述金属部と反対側に吸着したものを示すが、他にも同様に多くの複数ブロックが１点鎖線の創造線のように連続的に接合可能となる。【００１１】本考案の他の応用例として、立方体形状のブロックでは金属部のみの場合かご型形状の開放端面にも金属を設けるが、これは前項の加工の一環で一体的に付加製作するか、別途金属を付加すればよい。また、前記ブロックにおいて磁石を用いずその代わりに本考案の金属をもう１個他端側に付加して金属による吸着専用ブロックとすれば磁石との接続性に多様性が生じ壁面形状など複雑な組み立て形状を構成することがさらに容易になり得る。なお、ブロック本体の形状は上記の説明例以外に円柱あるいは多角柱でも同様に対応可能である。
【図面の簡単な説明】
【００１２】
【図１】本考案に関わるブロック単体の構造斜視図である。
【図２】本考案に関わるブロックの組み立て構成例図である。
【図３】本考案に関わるブロック用金属部の構造斜視図である。
【符号の説明】
【００１３】  （１）  ブロック本体
（２）  磁石
（３）  金属
（４）  切り欠き
（１１）ブロックＡ
（１２）ブロックＢ
（１３）ブロックＣ
（１４）ブロックＤ
（１５）ブロックＥ
【図１】
0003143760.tif 000003
【図２】
0003143760.tif 000004
【図３】
0003143760.tif 000005
【手続補正書】
【提出日】平成20年5月8日(2008.5.8)
【手続補正１】
【補正対象書類名】実用新案登録請求の範囲
【補正対象項目名】全文
【補正方法】変更
【補正の内容】
【実用新案登録請求の範囲】
【請求項１】
樹脂等で形成されるブロック玩具において、その形状が略直方体もしくは略立方体あるいは略多面柱状体の軸心方向の１つの端面およびその近接する複数の側面に着磁可能な金属面を配設できるような略かご型形状に金属板を一体的に形成しその各稜をなす部位には切り欠きを設けブロック本体に包含もしくは嵌着される金属体を有するブロック玩具。
【請求項２】
請求項１記載の金属体をその一端部に包設し、その反対側の端部には磁石を包設するよう形成した樹脂等よりなるブロック構造を有するブロック玩具。
【手続補正３】
【補正対象書類名】明細書
【補正対象項目名】０００２
【補正方法】変更
【補正の内容】
【０００２】従来、ブロックは組立の単位となる直方体、立方体あるいは円柱や多面角柱等形状を有するものを複数個用いてこれらを適宜接合し、多様な形状の構造体を形成させる玩具としてひろく普及している。それぞれの接合には通常その材料として用いられる樹脂や木材から成るブロック表面に適宜凹凸部を設けこれらが互いに嵌め合うことを利用して接合したり、互いに添着できるカギ状突起とこれの受け穴をその表面に配設される面ファスナー布（マジックテープという登録商標商品等あり）を設けたりして実現している。近年は磁石を用いてブロック相互の接合をさせるものも実用化されている。